(57)【要約】【課題】鍵盤楽器に電池ケース部１３を形成しながら、他部材と干渉するのを低減して設計自由度を高める。【解決手段】鍵盤楽器の下前ケース１のストッパ体１１と鍵支持部１２との間に電池ケース部１３を形成する。電池のプラス電極とマイナス電極とにそれぞれ対応する１３１，１３２を、ストッパ体１１及び鍵支持部１２と平行な方向（鍵並び方向）に並べて形成する。単３乾電池を鍵並び方向に横列に配列する。電池ケース部１３の鍵並び方向の長さをコンパクトにする。電池ケース部１３と交差するように壁リブ１ｃ，１ｃを形成して下前ケース１を堅牢にする。【選択図】図１
2006189516.tif 000002
【特許請求の範囲】
【請求項１】
鍵盤部を内装した鍵盤楽器のケース体構造において、
該ケース体は鍵盤部を内装した主ケース部とそれ以外の副ケース部とからなるケース体構造であって、
前記主ケース部は、前記鍵盤部の各鍵をその基端部で支持するための鍵支持部を、後方部の底面部から立ち上がり形成して鍵並び方向に延設するとともに、さらに前記鍵盤部の各鍵の操作時にその自由端部を止めるためのストッパ体を、前方部の底面部から立ち上がり形成して鍵並び方向に延設されてなり、
前記鍵支持部と前記ストッパ体との間に、複数電池用の複数の電池対応端子部を並べて配置するように電池ケース部を形成したことを特徴とする鍵盤楽器のケース体構造。
【請求項２】
前記電池対応端子部が前記鍵支持部及びストッパ体の長手方向に並べて配置されていることを特徴とする請求項１に記載の鍵盤楽器のケース体構造。
【請求項３】
前記電池ケース部を、前記鍵盤部の伴奏部分に対応する位置に設けたことを特徴とする請求項１または２に記載の鍵盤楽器のケース体構造。
【請求項４】
前記鍵並び方向に、前記鍵支持部と前記ストッパ体との間に、前記電池ケース部と交差するように壁リブを設けたことを特徴とする請求項１〜３のいずれか一項に記載の鍵盤楽器のケース体構造。
【発明の詳細な説明】
【技術分野】
【０００１】
本発明は、電子楽器等の鍵盤楽器のケース体構造に関し、鍵盤部を内装した主ケース部にて電池ケース部を改良した鍵盤楽器のケース体構造に関する。
【背景技術】
【０００２】
従来、鍵盤楽器の電池ケースに関する技術として、例えば、実公平７−４３９４３号公報に開示されたものがある。この従来の技術は、鍵盤楽器の下部ケースに鍵並び方向（鍵配列方向）を長手方向とする長箱形の電池収容部を形成するとともに、この電池収容部の底部の鍵並び方向に複数の弾性片対を形成し、電池のガタ付きやビリ付き等を防止するものである。
【特許文献１】実公平７−４３９４３号公報
【発明の開示】
【発明が解決しようとする課題】
【０００３】
鍵盤楽器では、鍵を支持する鍵支持部と、鍵のストローク範囲を規制するストッパ体とが、鍵並び方向に平行に延設される構造となっているので、電池ケースはこの鍵支持部とストッパ体との間に形成するのが好ましい。前記従来の技術でも電池収容部は鍵支持部とストッパ体との間に電池収容部が形成されている。しかしながら、この従来の技術では、電池収容部が鍵並び方向に長い長箱形となっている。すなわち、複数の電池を鍵並び方向に縦列に収容する構造になっている。全電池の長さに対応した電池蓋を形成すれば電池の出し入れは簡単になるかもしれないが、わずかなケースの落下でも電池蓋ストッパ部が破壊して、電池が飛び出ることがあるので、電池蓋の長さを一般的に電池１個ないし１個半の長さにすることが多い。そうすると、そのせまい入口から、複数電池を縦列して挿入しなければならないので、挿入しにくいという問題がある。また、電池を縦列にすると隣接する２つの電池の電極周囲同士の間隙がきわめて狭くなり、そこに指先を入れて取り出す必要があり、電池を取り出しにくいという問題もある。
【０００４】
さらに、一番問題となるのは、長箱形の電池収容部が少なくとも鍵並び方向に長いスペースを占めるので、他の多くの部位と干渉するのを避けるのが困難であり、設計自由度がきわめて低下するという問題がある。例えば、異機種でケース側の鍵盤部の金型を一部共通とする場合には、電池ケース部そのものの設計も変更する必要があった。
【０００５】
本発明は、鍵盤楽器において電池ケース部を改良して設計自由度を確保することを課題とする。
【課題を解決するための手段】
【０００６】
請求項１の鍵盤楽器のケース体構造は、鍵盤部を内装した主ケース部とそれ以外の副ケース部とからなるケース体構造であって、主ケース部の後方の底面部から立ち上がり形成して鍵並び方向に延設された鍵支持部と、前方の底面部から立ち上がり形成して鍵並び方向に延設されたストッパ体との間に、複数電池用の複数の電池対応端子部を並べて配置するように、電池ケース部を形成するようにした。
【０００７】
複数の電池対応端子部が並べて配置され、複数電池を横列して配置する構造になっているので、電池ケース部は、電池を鍵並び方向に縦列で配置する場合に比べて、少なくとも鍵並び方向の幅がきわめて小さなコンパクトな構造になる。したがって、電池ケース部が鍵盤部の下部で鍵並び方向で占めるスペースがきわめて少なくなり、設計自由度を確保することができる。例えば鍵盤部の下部に設けられる回路基板と、鍵支持部後方に設けられる回路基板とを接続するためのリード線を布設するのに、鍵支持部の数カ所を切り欠いてリード線を通す場合、この切り欠き部分を鍵並び方向に多く設けることができるので、異機種で同一下ケース（主ケース部）を用いることが可能となる。
【０００８】
請求項２の鍵盤楽器のケース体構造は、請求項１において、前記電池対応端子部を鍵支持部及びストッパ体の長手方向に並べて配置し、電池を鍵並び方向に横列して配置するようにした。これにより、電池の長手方向が鍵並び方向と直交するようになるので、例えば電池ケース部の底部を乾電池の円柱面に合わせた円弧面を横列した波形にした場合に、円弧面の軸が鍵並び方向と直交するので主ケース部の前後方向の軸に対する曲げに対して剛性が高まる。また、電池を鍵並び方向に横列する構造になっているので、鍵盤楽器で使用する電圧を変える場合も主ケース部を金型成形する場合の金型を部分的にあまり変えなくてもよい。特に電池を増やす場合も、鍵支持部とストッパ体との間で電池を鍵並び方向に電池の短手幅相当のスペースを取るだけでよい。
【０００９】
請求項３の鍵盤楽器のケース体構造は、請求項請求項１または２において、電池ケース部を鍵盤部の伴奏部分（低音側）に対応する位置に設けた。一般に、伴奏部分は複数鍵同時による演奏が多いため押鍵操作で頻繁に力が加わるが、主ケース部のこの使用頻度の高い部分に電池ケースという構造物があるので剛性が増し、強度を確保することができる。
【００１０】
請求項４の鍵盤楽器のケース体構造は、請求項１〜３のいずれか一項において、鍵並び方向に電池ケース部と交差するように壁リブを設けた。これにより、鍵並び方向の軸に対する曲げに対して剛性が高まる。
【発明の効果】
【００１１】
請求項１の鍵盤楽器のケース体構造によれば、複数電池を横列して配置する構造になっているので、電池ケース部は、鍵並び方向の幅がきわめて小さなコンパクトな構造になり、鍵盤部の下部で他部材との干渉を低減できたり、鍵支持部後方へリード線を布設するための鍵支持部の切り欠き部分を鍵並び方向に多く設けることができて異機種で同一下ケース（主ケース部）を用いることが可能となるなど、設計自由度を確保することができる。
【００１２】
請求項２の鍵盤楽器のケース体構造によれば、請求項１の効果に加えて、電池の長手方向が鍵並び方向と直交するようになるので、例えば電池ケース部の底部を乾電池の円柱面に合わせた円弧面を横列した波形にして、主ケース部の前後方向の軸に対する曲げに対して剛性を高めることができる。
【００１３】
請求項３の鍵盤楽器のケース体構造によれば、請求項１または２の効果に加えて、主ケース部の伴奏演奏に対する強度を確保することができる。
【００１４】
請求項４の鍵盤楽器のケース体構造によれば、請求項１〜３のいずれか一項の効果に加えて、鍵並び方向の軸に対する曲げに対して剛性を高めることができる。
【発明を実施するための最良の形態】
【００１５】
以下、図面を参照して本発明の一実施形態について説明する。なお、この明細書において、鍵盤楽器及びケース体の「上下左右」を指す場合、演奏時の演奏者側（鍵盤側）から見た正立状態の「上下左右」とする。また、「前後方向を指す場合、演奏者側を「前、手前」、背面側を「後、奥」とする。
【００１６】
図１は本発明の実施形態の鍵盤楽器のケース体構造を示す一部断面斜視図であり、下前ケースを上ケースを取り除き、鍵盤部を除いて上方から後方を見た図である。図２は実施形態の鍵盤楽器の側断面図である。図３は実施形態の鍵盤楽器の下前ケース及び下後ケースの平面図であり、上ケースを取り除いて上方から見た平面図である。なお、図１の断面部分は図３におけるＡ−Ａ断面であり、図２のＤ１部分図である。図２は図３におけるＢ−Ｂ矢視断面に対応する。
【００１７】
図２に示したように、この鍵盤楽器の外装をなすケース体は、「主ケース部」としての下前ケース１、「副ケース部」としての下後ケース２及び上ケース３の３つのケース部材で構成されており、これらのケース部材は硬質の合成樹脂で金型成型により形成されている。下前ケース１の前方部には、底面部１Ａから立ち上げて底側から溝をなすようなストッパ体１１が形成されている。このストッパ体１１は、鍵並び方向に該鍵盤楽器の略全長にわたって延設されている。なお、ストッパ体１１の上にはフェルト等のクッション部材１１ａが取り付けられ、ここを含めてストッパ体ともいう。
【００１８】
下前ケース１の後方部には、鍵盤部４の鍵４１をその基端部４１ａで支持する鍵支持部１２が形成されている。この鍵支持部１２は、図２に示したように、前板１２ａを底面部１Ａから立ち上げその上端から支持板部１２ｂを後方に延ばし、さらに後板１２ｃを下に形成し、鍵並び方向に該鍵盤楽器の略全長にわたって延設されている。これにより、鍵支持部１２は、下方に開口を有する逆さ樋状の形状をなしている。また、鍵支持部１２の開口側には前板１２ａから後方側に突出した後ケース支持突部１２ｄ（図２参照）が鍵並び方向に複数形成されている。さらに、この鍵支持部１２には、その一部を鍵並び方向と直角な方向に横断して楽器内側から底面部１Ａ側に深い溝をなす配線用溝１２ｅ（図３参照）が形成されている。この実施形態では配線用溝１２ｅは、鍵並び方向の６箇所に形成されている。なお、図２でこの配線用溝１２ｅお示すとすれば１２ｅ１部分となる。
【００１９】
下前ケース１のストッパ体１１と鍵支持部１２との間には、底面部１Ａから楽器の内部方向に陥没させた後述の電池ケース部１３が形成されている。また、図２及び図３に示すように、下前ケース１の前端部には底面部１Ａから立ち上げて前部にせり出し、湾曲して下方に下がるように前フレーム部１４が鍵並び方向に形成されている。なお、図１ではこの前フレーム部１４は図示を省略してある。また、下前ケース１の左右両側の先端には、底面部側から内部を中空とした内方に立ち上がる突部が形成され、先端にネジ孔を有するボス１ａ，１ａ（図３）として構成されている。
【００２０】
図２に示すように、下後ケース２には、その前方部に複数のメインボス２１が鍵並び方向の適宜の位置に併設されている。メインボス２１の内部は空洞２１ａとなっており、底面部２Ａ側の開口形状は前後方向を長手方向とする長円の形状になっている。すなわち、メインボス２１及び空洞２１ａは、図２では略三角形の形状をしているが、前方側から見ると上部と下部の幅は型抜き用のテーパを無視すると同寸になっている。また、メインボス２１から後方側には底面部２Ａから立ち上がるリブ２１ｂが形成されるとともに、メインボス２１から前方には、下前ケース１の前記後ケース支持突部１２ｄに当接する突部２１ｃが形成されている。また、下後ケース２は後端部に底面部２Ａから略湾曲して立ち上がる後壁２２を有し、この後壁２２には段部２２ａが形成されるとともに、この段部２２ａの鍵並び方向の所定位置に複数のボス２ａ（図３参照）が形成されている。ボス２ａは底面部側から内部を中空とされ先端にネジ孔を有する。
【００２１】
上ケース３は、下前ケース１と下後ケース２との前後幅と略同程度の前後幅を有し、その中程から前方部には鍵盤部４を露出させるための空間としての鍵開放部３１を有する。この鍵開放部３１の両側には下前ケース１の端部を覆う腕部３２が形成されている。また、鍵開放部３１の中央前端部３１ａは鍵支持部１２の前板１２ａの近傍にあり、この中央前端部３１ａから後方部はパネル面３３となっている。このように上ケース３は上から見た平面図としては略コ字状または略Ｕ字状となっている。さらに、上ケース３は後端部には略湾曲して下方に下がる後壁３４を有し、この後壁３４の最下端３４ａは下後ケース２の後壁２２の最上端２２ｂより後方に僅かに出っ張り、これにより上ケース３は下後ケース２を覆う形状となっている。なお、この上ケース３の後壁３４には、外部接続端子を露出させるため接続端子用開口３４ｂが形成されている。また、この実施形態の電子楽器では、上ケース３の左右離間した位置にスピーカ１０（図２参照）が配設されている。
【００２２】
下前ケース１には鍵盤部４が内装されており、この鍵盤部４は、鍵（白鍵及び黒鍵）４１を図１及び図３の矢印の鍵並び方向、図２の図面に直交する方向に複数鍵配設したものである。鍵４１は後方側の基端部４１ａにおいて下前ケース１の鍵支持部１２に取り付けられている。また、鍵４１には基端部４１ａから延びる弾性を有する薄板状のヒンジ部４１ｂが形成されており、鍵４１は基端部４１ａを略支点として揺動可能になっている。鍵４１の中程前寄りにはＬ形のストッパ当接片４１ｃが下方に延設されており、その下端は下当接部４１ｄとなるとともに、その後方突出部の上面は上当接部４１ｅとなっている。なお、図２では下当接部４１ｄは白鍵のもの、下当接部４１ｄ′は黒鍵のものである。
【００２３】
下前ケース１の中程には、鍵並び方向の所定位置に複数の基板取付ボス１ｂが前後距離を隔てて立設されており、この基板取付ボス１ｂの上端に、キースイッチ５１（図２参照）等を取り付けた回路基板５が配設されている。そして、鍵４１は図２において反時計回りに押鍵され、ストッパ当接片４１ｃの下当接部４１ｄがストッパ体１１のクッション部材１１ａに当接して押鍵ストロークの下限位置となる。離鍵すると鍵４１はヒンジ部４１ｂの弾性回復力により図２において時計回りに回動し、ストッパ当接片４１ｃの上当接部４１ｅが回路基板５の裏面のクッション部材５２に当接して図２の状態に復帰し、押鍵ストロークの上限位置となる。なお、回路基板５のキースイッチ５１は、鍵４１の押離鍵の鍵操作に応じたキーオン、キーオフ、イニシャルタッチ等を検出するものである。
【００２４】
当該電子楽器は以下のようにして組み立てられる。下前ケース１の鍵支持部１２の支持板部１２ｂ上に鍵盤部４の基端部４１ａを図示しない位置決め手段により位置決めして取り付け、鍵支持部１２の樋状の内側に下後ケース２のメインボス２１を挿入し、メインボス２１の上端を鍵支持部１２の支持板部１２ｂの裏面に当接させる。このとき、下後ケース２のメインボス２１から前方に形成された突部２１ｃを、下前ケース１の前記後ケース支持突部１２ｄに当接させる。次に、上ケース３を下前ケース１と下後ケース２に被せ、下前ケース１の先端左右両側のボス１ａ，１ａ、下後ケース２の後端部のボス２ａ，…により、下前ケース１と下後ケース２を上ケース３にネジ止めする。なお、図示は省略するが、上ケース３にはボス１ａ，２ａに対応する位置に該ネジ止め用のボスが形成されている。次に、メインボス２１の空洞２１ａからネジＮ１を挿入する。このとき、ネジＮ１は鍵４１の基端部４１ａに形成された長孔内を貫通する。そして、ネジＮ１を上ケース３の裏側にネジ止めする。これにより、鍵盤部４が鍵支持部１２に固定される。なお、上ケース３における鍵開放部３１の中央前端部３１ａとこれに続くパネル面３３とによって、鍵４１のヒンジ部４１ｂと基端部４１ａ、及び下後ケース２内の収容部品（図示せず。）が覆われている。
【００２５】
図１及び図３に示すように、下前ケース１の電池ケース部１３は単３乾電池を６本収納するものであり、平面形状が略９０ミリ×５５ミリの矩形のケースとなっている。この電池ケース部１３はストッパ体１１と鍵支持部１２との間に形成され、鍵盤部４に向かって左側（演奏者に対して左側）に配置されている。また、ストッパ体１１と鍵支持部１２との間には、基板取付ボス１ｂを連ねるよう鍵並び方向に長尺の２つの壁リブ１ｃが底面部１Ａから立設されている。さらに、この壁リブ１ｃと直交するように多数のリブ１ｄが底面部１Ａから立設されている。このうち、長尺の壁リブ１ｃは電池ケース部１３と交差している。また、電池ケース部１３は複数（この実施形態では６本）の電池をそれぞれ収納するための複数の電池嵌合凹部１３ａ，１３ａ，…を有している。各電池嵌合凹部１３ａ，１３ａ，…は電池の側面形状に対応する円柱の一部となる円弧面を有している。なお、この電池ケース部１３は底面側から図１のように電池蓋Ｈにより蓋される。該電池蓋Ｈは閉蓋時に全電池に対向した対向面を有し、開放時には、全電池が対向せず、となし、電池の着脱が容易となっている。
【００２６】
図１に示すように、電池嵌合凹部１３ａのストッパ体１１側の端部と鍵支持部１２側の端部は、電池対応端子部１３１，１３２となっており、隣接する電池対応端子部１３１，１３１，…及び隣接する電池対応端子部１３２，１３２，…はそれぞれ並べて配置されている。すなわち、電池嵌合凹部１３ａ，１３ａ，…は電池を横列して配置する構造になっている。また、この実施形態では、電池対応端子部１３１，１３１，…１３２，１３２，…は、鍵支持部１２及びストッパ体１１の長手方向に並べて配置されており、電池をその長手方向を鍵並び方向と直角となるようにして配置するような構造になっている。電池対応端子部１３１，１３２には、電池のプラス極に対応するプラス極側端子６１とマイナス極に対応するマイナス極側端子６２が取り付けられている。この端子６１，６２は弾性を有する導線で形成されており、プラス極側端子６１はコ字状に、マイナス極側端子６２はバネ状に形成されている。なお、図１では破線で示す部分は略して図示してあるが、隣接する電池で接続する部分はプラス側端子６１とマイナス側端子６２が一体に形成されている。
【００２７】
このように、複数電池を横列して配置する構造になっているので、電池ケース部１３は、電池を鍵４１の並び方向に縦列で配置する場合に比べて、少なくとも鍵並び方向の幅がきわめて小さなコンパクトな構造になっている。ここで、図３に示す配線用溝１２ｅは回路基板５からのリード線を下後ケース２側の図示しないメイン回路基板側に配線するためのものであるが、電池ケース部１３が回路基板５の下部で鍵並び方向で占めるスペースがきわめて少なくなっているので、図３に示すように、６つの配線用溝１２ｅのうちの５つの配線用溝１２ｅが、ストッパ体１１と鍵支持部１２の間の空間（すなわち回路基板５の下部）に直に連結している。したがって、配線を容易に行うことができるとともに、他機種にこの回路基板５からのリード線を配線用溝１２ｅ内に容易に配線することができる。また、多くの配線用溝１２ｅを容易に利用できるので、この下前ケースを他の機種に用いることも容易であり、設計自由度を確保することができる。
【００２８】
また、この実施形態では、電池を鍵並び方向に横列して配置するような構造で、しかも図１に示したように電池ケース部１３の底部が円弧面を横列した波形になっている。したがって、円弧面の軸が鍵並び方向と直交するので、下前ケース１１の前後方向の軸に対する曲げに対して剛性が高い。電池ケース部１３が左側の伴奏部分（低音側）に対応する位置にあるので、伴奏等により演奏時の押鍵操作で頻繁に力が加わっても高い剛性により、強度を確保することができる。
【００２９】
さらに、他機種に適用して電圧を変える場合も、金型成形の金型を部分的にあまり変えなくてもよい。また、鍵支持部１２とストッパ体１１との間で電池を鍵並び方向に任意に増やすことができる。
【００３０】
なお、この実施形態では、下前ケース１の左右両端近傍には、前後方向を長手方向にして底面部１Ａからケース内側に窪ませた脚嵌合部１ＢＬ，１ＢＲが形成されている。また、図２及び図３に示すように、下後ケース１の左右両端近傍には、前記下前ケース１の脚嵌合部１ＢＬ，１ＢＲに連なるように、底面部２Ａからケース内側に窪ませた脚嵌合部２ＢＬ，２ＢＲが形成されている。そして、この脚嵌合部１ＢＬ，２ＢＬと脚嵌合部１ＢＲ，２ＢＲにおいてそれぞれ図示しない脚部で楽器本体を支持することもできる。また、実施形態では、鍵並び方向に電池ケース部１３と交差する壁リブ１ｃ，１ｃが形成されているので、鍵並び方向の軸に対する曲げに対して剛性が高まる。したがって、脚嵌合部１ＢＬ，２ＢＬ，１ＢＲ，２ＢＲで両持ちで支持しても高い剛性により姿勢を安定させて演奏することができる。なお、実施形態では壁リブ１ｃ，１ｃが電池ケース１３と交差（オーバーラップ）しているが、交差しなくてもよい。
【００３１】
このような脚嵌合部１ＢＬ，１ＢＲを含めて、スイッチ基板や、鍵支持部反対側の鍵ストッパや、鍵ガイドなど、鍵盤部の周囲には各種のスペース上の制約があるが、本発明によれば、電池を横列したことにより、これらの制約を難なく解消している。
【００３２】
実施形態では、電池を鍵並び方向に横列配置するような構造になっているので、前述のように好適な例となっているが、電池ケース部１３はストッパ体１１と鍵支持部１２の間で電池を横列配置する構造でにあれば、横列する方向は鍵並び方向でなくてもよい。
【００３３】
また、実施形態では下前ケース１、下後ケース２及び上ケース３の３つのケース体で本体ケースを構成しているが下ケースと上ケースという構成でもよいし、その他の構成でもよい。
【図面の簡単な説明】
【００３４】
【図１】本発明の実施形態の鍵盤楽器のケース体構造を示す一部断面斜視図である。
【図２】本発明の実施形態の鍵盤楽器の側断面図である。
【図３】本発明の実施形態の鍵盤楽器の下前ケース及び下後ケースの平面図である。
【符号の説明】
【００３５】
１…下前ケース（主ケース部）、２…下後ケース（副ケース部）、３上ケース（副ケース部）、１Ａ…底面部、４…鍵盤部、１１…ストッパ体、１２…鍵支持部、１３…電池ケース部、４１…鍵、４１ａ…基端部、１３１，１３２…電池対応端子部
【図１】
2006189516.tif 000003
【図２】
2006189516.tif 000004
【図３】
2006189516.tif 000005